(57)【要約】【課題】  音声データの内容と関連付けてインデックス情報を記録することにより、内容的にユーザが所望する位置からの迅速かつ容易な再生を可能にする。【解決手段】  マイクロホンから入力された音声データを音声データ記憶部に記録していくともに、逐次音声認識回路で、言葉を認識させる。予めユーザが記憶させた特定音声「言葉Ａ」〜「言葉Ｅ」が認識されたか否かを判断し（ステップＳ２０３）、「言葉Ａ」であった場合には、音声データ記憶部において当該「言葉Ａ」のデータが記録された箇所に、当該「言葉Ａ」の存在を示すインデックスコードＩＣ−ａを記憶する（ステップＳ２０５）。また、他の「言葉Ｂ〜Ｅ」も同様にインデックスコードを記憶する。再生時には、インデックスコードを検索して、該インデックスコードがによりその存在を示される言葉Ａが記録されている位置から、音声データをスキップ再生する。【選択図】    図４
2005352022.tif 000002
【特許請求の範囲】
【請求項１】
音声データを記録する記憶手段と、
入力された音声を音声データに変換して前記記憶手段に記録する制御手段と、
入力された音声を認識する認識手段と、
前記制御手段によって前記音声データが記録されているとき、前記認識手段によって特定の音声が認識された際に、前記記憶手段にインデックス情報を書き込む書込手段と、
前記インデックス情報に基づいて、前記記憶手段に記録された音声データを再生する再生手段と
を備えることを特徴とする音声記録再生装置。
【請求項２】
前記書込手段は、前記特定の音声が認識された際の音声データが記録された前記記憶手段のアドレスを前記インデックス情報として書き込むことを特徴とする請求項１記載の音声記録再生装置。
【請求項３】
操作に応じて前記特定の音声の音声データを予め記憶する認識データ記憶手段を更に備え、
前記書込手段は、前記認識データ記憶手段に記憶されて音声データに対応する音声が前記認識手段により認識された際に、前記インデックス情報を書き込むことを特徴とする請求項１又は２記載の音声記録再生装置。
【請求項４】
前記認識データ記憶手段は、異なる複数の音声に対応する複数の音声データを記録することを特徴とする請求項３記載の音声記録再生装置。
【請求項５】
前記記憶手段に書き込まれたインデックス情報を検索する検索手段を更に備え、
前記再生手段は、前記記憶手段において前記検索手段により検索された前記インデックス情報が記憶されている箇所からの音声データ又は前記インデックス情報が示すアドレスからの音声データを再生することを特徴とする請求項請求項１から４にいずれか記載の音声記録再生装置。
【請求項６】
複数の特定の音声からいずれか任意の音声を選択する選択手段を更に備え、
前記検索手段は、前記選択手段により選択された特定の音声に対応するインデックス情報を検索することを特徴とする請求項５記載の音声記録再生装置。
【請求項７】
音声データを記録する記憶手段と、この記憶手段に記録された音声データを再生する再生手段とを備えた音声記録再生装置が有するコンピュータを、
入力された音声を音声データに変換して前記記憶手段に記録する記録制御手段と、
入力された音声を認識する認識手段と、
前記記録制御手段によって前記音声データが記録されているとき、前記認識手段によって特定の音声が認識された際に、前記記憶手段にインデックス情報を書き込む書込手段と、
前記インデックス情報に基づいて前記再生手段を制御し、前記記憶手段に記録された音声データを再生させる再生制御手段と
して機能させることを特徴とする音声記録再生制御プログラム。
【請求項８】
音声データを記録する記憶部と、この記憶部に記録された音声データを再生する再生部とを備えた音声記録再生装置の制御方法であって、
入力された音声を音声データに変換して前記記憶部に記録する記録制御ステップと、
入力された音声を認識する認識処理ステップと、
前記記録制御ステップで前記音声データが記録されているとき、前記認識ステップで特定の音声が認識された際に、前記記憶部にインデックス情報を書き込む書込ステップと、
前記インデックス情報に基づいて前記再生部を制御し、前記記憶部に記録された音声データを再生させる再生制御ステップと
を含むことを特徴とする音声記録再生装置の制御方法。
【発明の詳細な説明】
【技術分野】
【０００１】
本発明は、音声データを記録するとともに再生する音声記録再生装置、音声記録再生制御プログラム及び音声記録再生装置の制御方法に関する。
【背景技術】
【０００２】
従来、インデックス機能を備えた音声記録再生装置が提案されるに至っている。この音声記録再装置は、マイクロホンより入力された音声を音声データに変換してＩＣメモリに記録する過程で、一連の音声データとともに一定の周期でインデックス情報を記録する。そして、データ再生時にインデックス情報を指定すると、この指定されたインデックス情報により示されるされるデータ記録開始位置から、音声データの再生を開始する。したがって、記録された長時間に及ぶ一連の音声データの再生時において、一定の周期で記録されたインデックス情報毎に細分化された音声データを順次スキップ再生することができ、これにより所望の記録部分の迅速かつ容易な再生を可能にしようとするものである（例えば、特許文献１参照。）。
【特許文献１】特開２００１−２３６０９７号公報
【発明の開示】
【発明が解決しようとする課題】
【０００３】
しかしながら、前述した音声記録再生装置にあっては、一連の音声データをその内容とは無関係に、単に一定周期の時間長を単位として複数に分断し、インデックス情報に対応させて記録するに過ぎない。したがって、インデックス情報と記録された音声データの内容とは全く無関係であって、インデックス情報と音声データの内容とを関連付けて記録することはできない。よって、インデックス情報に基づいてスキップ再生を行っても、内容的にユーザが所望する位置から音声データを再生することは不可能なものであった。
【０００４】
本発明は、かかる従来の課題に鑑みてなされたものであり、音声データの内容と関連付けてインデックス情報を記録することにより、内容的にユーザが所望する位置からの迅速かつ容易な再生を可能にした音声記録再生装置、音声記録再生制御プログラム及び音声記録再生装置の制御方法を提供することを目的とする。
【課題を解決するための手段】
【０００５】
前記課題を解決するため請求項１記載の発明に係る音声記録再生装置にあっては、音声データを記録する記憶手段と、入力された音声を音声データに変換して前記記憶手段に記録する制御手段と、入力された音声を認識する認識手段と、前記制御手段によって前記音声データが記録されているとき、前記認識手段によって特定の音声が認識された際に、前記記憶手段にインデックス情報を書き込む書込手段と、前記インデックス情報に基づいて、前記記憶手段に記録された音声データを再生する再生手段とを備える。
【０００６】
したがって、記憶手段には特定の音声が認識される毎にインデックス情報が書き込まれて、一連の音声データが記録されることとなり、これにより特定の音声をなす音声データの内容（言葉、言語）と関連付けてインデックス情報が記録されることとなる。つまり、インデックス情報と音声データのインデックス情報に対応する部分とは、認識された特定の音声の内容を介して関連付けられる。したがって、再生時にインデックス情報に基づいて音声データが再生されることにより、特定の音声の内容に関連する部分から、音声データを再生することが可能となる。
【０００７】
また、請求項２記載の発明に係る音声記録再生装置にあっては、前記書込手段は、前記特定の音声が認識された際の音声データが記録された前記記憶手段のアドレスを前記インデックス情報として書き込む。したがって、再生手段が前記アドレスに記録されている音声データから再生することにより、特定の音声の内容に関連する部分から音声データが再生される。
【０００８】
また、請求項３記載の発明に係る音声記録再生装置にあっては、操作に応じて前記特定の音声の音声データを予め記憶する認識データ記憶手段を更に備え、前記書込手段は、前記認識データ記憶手段に記憶されて音声データに対応する音声が前記認識手段により認識された際に、前記インデックス情報を書き込む。したがって、ユーザが予め操作により、所望の内容をなす音声の音声データを認識データ記憶手段に記憶させておくと、当該所望の内容をなす音声が認識される毎に、インデックス情報が書き込まれて、一連の音声データが記録される。よって、再生時には、所望の内容をなす音声の音声データが存在する位置からの音声データの再生が可能となる。
【０００９】
また、請求項４記載の発明に係る音声記録再生装置にあっては、前記認識データ記憶手段は、異なる複数の音声に対応する複数の音声データを記録する。したがって、ユーザが予め操作により、異なる内容からなる複数の音声の音声データを認識データ記憶手段に記憶させておくと、各内容をなす音声が認識される毎に、インデックス情報が書き込まれて、一連の音声データが記録される。よって、再生時には、異なる内容をなす音声の音声データが存在する位置からの音声データの再生が可能となる。
【００１０】
また、請求項５記載の発明に係る音声記録再生装置にあっては、前記記憶手段に書き込まれたインデックス情報を検索する検索手段を更に備え、前記再生手段は、前記記憶手段において前記検索手段により検索された前記インデックス情報が記憶されている箇所からの音声データ又は前記インデックス情報が示すアドレスからの音声データを再生する。したがって、検索手段によりインデックス情報を検索させて再生を行うことにより、インデックス情報に対応する音声データ単位でのスキップ再生が可能となる。
【００１１】
また、請求項６記載の発明に係る音声記録再生装置にあっては、複数の特定の音声からいずれか任意の音声を選択する選択手段を更に備え、前記検索手段は、前記選択手段により選択された特定の音声に対応するインデックス情報を検索する。したがって、ユーザは音声再生時において、選択手段により予め複数の特定の音声からいずれか任意の音声を選択しておくことにより、当該選択した音声の内容に対応する位置からの音声データ部分のみを抽出して再生させることができる。
【００１２】
また、請求項７記載の発明に係る音声記録再生制御プログラムにあっては、音声データを記録する記憶手段と、この記憶手段に記録された音声データを再生する再生手段とを備えた音声記録再生装置が有するコンピュータを、入力された音声を音声データに変換して前記記憶手段に記録する記録制御手段と、入力された音声を認識する認識手段と、前記記録制御手段によって前記音声データが記録されているとき、前記認識手段によって特定の音声が認識された際に、前記記憶手段にインデックス情報を書き込む書込手段と、前記インデックス情報に基づいて前記再生手段を制御し、前記記憶手段に記録された音声データを再生させる再生制御手段として機能させる。したがって、前記コンピュータがこのプログラムに従って処理を実行することにより、請求項１記載の発明と同様の作用効果を奏する。
【００１３】
また、請求項８記載の発明にあっては、音声データを記録する記憶部と、この記憶部に記録された音声データを再生する再生部とを備えた音声記録再生装置の制御方法であって、入力された音声を音声データに変換して前記記憶部に記録する記録制御ステップと、入力された音声を認識する認識処理ステップと、前記記録制御ステップで前記音声データが記録されているとき、前記認識ステップで特定の音声が認識された際に、前記記憶部にインデックス情報を書き込む書込ステップと、前記インデックス情報に基づいて前記再生部を制御し、前記記憶部に記録された音声データを再生させる再生制御ステップとを含む。したがって、記載したステップに従って処理を実行することにより、請求項１記載の発明と同様の作用効果を奏する。
【発明の効果】
【００１４】
以上説明したように、請求項１、７及び８に係る発明によれば、インデックス情報と音声データのインデックス情報に対応する部分とを、特定の音声の内容（言葉、言語）を介して関連付けることができる。よって、再生時にインデックス情報に基づいて音声データが再生されることにより、特定の音声の内容に関連する部分から音声データを再生することが可能となり、その結果、内容的にユーザが所望する位置からの迅速かつ容易な再生が可能となる。
【００１５】
さらに、請求項２に係る記載の発明によれば、再生手段が記憶手段のアドレスに記録されている音声データから再生することにより、特定の音声の内容に関連する部分からの音声データを容易に再生することが可能となる。
【００１６】
また、請求項３に係る記載の発明によれば、ユーザが予め操作により、所望の内容をなす音声の音声データを認識データ記憶手段に記憶させておくと、当該所望の内容をなす音声が認識される毎に、インデックス情報が書き込まれて、一連の音声データが記録されることから、再生時には、所望の内容をなす音声の音声データが存在する部分から音声データを再生することが可能となる。
【００１７】
また、請求項４に係る記載の発明によれば、ユーザが予め操作により、異なる内容からなる複数の音声の音声データを認識データ記憶手段に記憶させておくと、各内容をなす音声が認識される毎に、インデックス情報が書き込まれて、一連の音声データが記録されることから、再生時には、異なる内容をなす音声の音声データが存在する部分から音声データを再生することが可能となり、ユーザの意思を緻密に反映した内容的に所望する位置からの迅速かつ容易な再生が可能となる。
【００１８】
また、請求項５に係る記載の発明によれば、検索手段によりインデックス情報を検索させて再生を行うことにより、インデックス情報に対応する音声データ単位の再生が可能となり、スキップ再生を可能にして内容的にユーザが所望する位置からのより迅速な再生が可能となる。
【００１９】
また、請求項６に係る記載の発明によれば、ユーザは選択手段により予め複数の特定の音声からいずれか任意の音声を選択しておくことにより、当該選択した音声の内容に対応する位置からの音声データ部分のみを抽出して再生させることができ、これより、内容的にユーザが所望する位置からの音声データのみを迅速かつ容易に再生することが可能となる。
【発明を実施するための最良の形態】
【００２０】
以下、本発明の一実施の形態を図に従って説明する。
（第１の実施の形態）
図１は、本発明の各実施の形態に共通する音声記録再生装置の回路構成を示すブロック図である。図示のように、この回路はＣＰＵ１を中心にして構成され、ＣＰＵ１は、ＲＯＭ２に格納されているプログラムに基づき動作することにより、各部を制御するものである。ＲＡＭ３は、ＣＰＵ１が動作する際に使用されるワークエリアが設けられているとともに、後述するように各種データを格納する記憶部が設けられている。
【００２１】
発振回路４は、常時一定周波数のクロック信号を送出している回路部である。分周回路５は発振回路４からのクロック信号を計数して計数値が１秒に対応する値になる都度、１秒信号を時計計数回路６に送出するとともに、ＣＰＵ１からのプリセット信号を受けると計数値が所定値にセットされる回路部である。時計計数回路６は、分周回路５からの前記１秒信号を計数して、現在時刻データすなわち現在の日付データ、現在の曜日データ、現在の時データ、現在の分データ、現在の秒データを得て、これをＣＰＵ１に与える回路である。
【００２２】
押釦スイッチ部７は、後述するフローチャートにおいて示すように、録音キー、再生キー、停止キー、登録キー、選択キー等及び他のキーで構成され、各キーの操作信号がＣＰＵ１に送出される。表示部８は、ＬＣＤ及びその駆動回路で構成され、ＣＰＵ１により駆動を制御されて、時計計数回路６による現在時刻のみならず、各種情報を表示する。
【００２３】
マイクロホン９は、音声を検出して音声信号を出力し、増幅回路１０はこの音声信号を増幅する。Ａ／Ｄ変換回路１１は、この増幅されたアナログ音声信号をデジタル信号に変換して、ＣＰＵ１と音声認識回路１２とに送出する。音声認識回路１２は、Ａ／Ｄ変換回路１１から入力されたデジタル音声信号、あるいはＲＡＭ３に記憶されているデジタル音声信号に基づき、複数音からなる音声つまり言葉（言語）を認識して、その認識結果をＣＰＵ１やＲＡＭ３に供給する。Ｄ／Ａ変換回路１３は、ＣＰＵ１が生成したデジタル音声信号をアナログ信号に変換し、増幅回路１４はアナログ音声信号を増幅してスピーカ１５に出力する。スピーカ１５は、この増幅されたアナログ音声信号により駆動されて音声を再生する。
【００２４】
前記ＲＡＭ３には、前記ワークエリアとともに、図２に示す音声データ記憶部３１と認識データ記憶部３２等が設けられている。音声データ記憶部３１には、後述する録音処理により、マイクロホン９から入力されてＡ／Ｄ変換回路１１でデジタル音声信号に変換された音声データが記録されるとともに、インデックスコードＩＣ−ａ，ｂ，ｃ・・・が記録される。認識データ記憶部３２には、予めユーザにより音声入力されたデジタル音声データよりなる言葉（言語）である認識データが記憶される。本実施の形態においては、認識データ記憶部３２は記憶部３２Ａ〜３２Ｅを有し、５種類の認識データ「言葉Ａ〜言葉Ｅ」を記憶させておくことが可能である。
【００２５】
以上の構成に係る本実施の形態において、ＣＰＵ１はＲＯＭ２に格納されているプログラムに基づき、図３のフローチャートに示す登録処理を実行する。すなわち、前記押釦スイッチ部に設けられている記憶部選択スイッチが操作されたか否かを判断し（ステップＳ１０１）、操作された場合には、操作に応じて認識データ記憶部３２における記憶部３２Ａ〜３２Ｅのいずれかを選択する（ステップＳ１０２）。
【００２６】
また、記憶部選択スイッチが操作されていない場合には、登録キーが操作されたか否かを判断し（ステップＳ１０３）、登録キーも操作されていない場合には、他のスイッチ処理に移行する。登録キーが操作されている場合には、その時ユーザがマイクロホン９に向かって発した音声を入力させて、その言葉を音声認識回路１２で認識させる（ステップＳ１０４）。さらに、この音声認識回路１２が認識した言葉を認識データとして、前記ステップＳ１０２で選択された記憶部３２Ａ〜３２Ｅのいずれかに記憶させる（ステップＳ１０５）。
【００２７】
したがって、ユーザが予め記憶部３２Ａを選択し、次に登録キーを押した状態でマイクロホン９に向かって「言葉Ａ」を発すると、「言葉Ａ」のデジタル音声データが記憶部３２Ａに記憶されることとなる。また、同様の操作を行って「言葉Ｂ」「言葉Ｃ」・・・を発することにより、記憶部３２Ａ〜３２Ｅに「言葉Ａ」〜「言葉Ｅ」が記憶されることとなる。
【００２８】
以上のように、ユーザは録音を開始する前に認識データの登録操作を行っておく。そして、録音を開始するに際して録音キーを操作する。すると、図４に示した録音処理フローにおいて、ステップＳ２０１の判断がＹＥＳとなり、ステップＳ２０２に進んで音声入力、録音、認識処理を実行する。すなわち、マイクロホン９から入力されてＡ／Ｄ変換回路１１により変換されたデジタル音声信号を順次音声データ記憶部３１に記録していくともに、逐次音声認識回路１２で、複数音からなる音声つまり言葉（言語）を認識させる。
【００２９】
この音声認識回路１２での認識結果に基づき、前記記憶部３２Ａ〜３２Ｅに記憶されている「言葉Ａ」〜「言葉Ｅ」のいずれかである特定音声が認識されたか否かを判断する（ステップＳ２０３）。特定音声が認識されない場合には、停止キーが操作されたか否かを判断し（ステップＳ２０９）、停止キーが操作されるまでステップＳ２０３からの処理を繰り返す。したがって、その間、音声データ記憶部３１にはマイクロホン９により検出された一連音声の音声データが記録されていく。
【００３０】
そして、ステップＳ２０３で特定音声が認識された場合には、それが「言葉Ａ」であるか否かを判断し（ステップＳ２０４）、「言葉Ａ」であった場合には、音声データ記憶部３１において当該「言葉Ａ」のデータが記録された箇所に、当該「言葉Ａ」の存在を示すインデックスコードＩＣ−ａを記憶する（ステップＳ２０５）。また、「言葉Ｂ」であった場合には（ステップＳ２０６；ＹＥＳ）、音声データ記憶部３１において当該「言葉Ｂ」のデータが記録された箇所に、当該「言葉Ｂ」の存在を示すインデックスコードＩＣ−ｂを記憶する（ステップＳ２０７）。さらに、「言葉Ｃ」であった場合、「言葉Ｄ」であった場合も同様の処理を実行し、「言葉Ａ」〜「言葉Ｄ」のいずれでもない場合には、「言葉Ｅ」であるので、音声データ記憶部３１において「言葉Ｅ」のデータが記録された箇所に、当該「言葉Ｅ」の存在を示すインデックスコードＩＣ−ｅを記憶する（ステップＳ２０８）。
【００３１】
したがって、以上の処理により録音キーが操作された後停止キーが操作されるまで、音声データ記憶部３１には、図２に示したように、一連の音声データが記録されるとともに、特定音声が記録される都度その存在を示すインデックスコードＩＣ−ａ、ＩＣ−ｃ・・・が記憶されることとなる。そして、ユーザが録音を終了すべく停止キーを操作すると、ステップＳ２０９の判断がＹＥＳとなって、ＣＰＵ１はこの図４のフローチャートに従った処理を停止する。
【００３２】
また、ＣＰＵ１はＲＯＭ２に格納されているプログラムに基づき、図５のフローチャートに示す再生処理を実行する。先ず、記憶部３２Ａ〜３２Ｅに記憶されている認識データである認識言葉を表示部８に一覧表示し（ステップＳ３０１）、このステップＳ３０１での処理により表示部８には認識言葉である「言葉Ａ」〜「言葉Ｅ」が表示されることとなる。次に、押釦スイッチ７での操作に応じて、この表示された認識言葉のいずれか、あるいは全てを意味する「ＡＬＬ」を選択し（ステップＳ３０２）、再生キーが操作されたか否かを判断する（ステップＳ３０３）。
【００３３】
再生キーが操作されたならば、音声データ記憶部３１の冒頭から順次インデックスコードを検索し（ステップＳ３０４）、前記ステップＳ３０２で選択された認識言葉に対応するインデックスコードが有る否かを判断する（ステップＳ３０５）。対応するインデックスコードがあった場合には、その位置から音声データ記憶部３１に記憶されている音声データを再生する（ステップＳ３０６）。
【００３４】
したがって、ステップＳ３０２で認識言葉「言葉Ａ」又は「ＡＬＬ」が選択されていて、これに対応する「インデックスコードＩＣ−ａ」が有ったとすると、ステップＳ３０６での処理により「インデックスコードＩＣ−ａ」によりその存在を示される「言葉Ａ」が記録されている位置から、音声データ記憶部３１の音声データの再生が開始されて、スピーカ１５から放音されることとなる。
【００３５】
この再生を行っている状態において、ＣＰＵ１は停止キーと再生キーの操作を監視し、両キーのいずれかが操作されたか否かを判断する（ステップＳ０７、Ｓ３０８）。そして、音声再生中に再生キーが操作された場合には（ステップＳ３０８；ＹＥＳ）、ステップＳ３０４に戻り、次のインデックスコードの検索を実行する。さらに、インデックスコードが有ったか否か判断し（ステップＳ３０５）、有った場合には前述と同様に、その位置から音声データ記憶部３１に記憶されている音声データを再生する（ステップＳ３０６）。したがって、再生中において再生キーはスキップスキャンキーとして機能し、操作される都度、次のインデックスコードを検索させるキーとなる。
【００３６】
また、このようにしてスキップスキャンしつつインデックスコードを検索してもインデックスコードが発見されなくなった場合には、ステップＳ３０５の判断がＮＯとなる。したがって、表示部８にインデックスコードが無いことを示すインデックスコード無表示を行って（ステップＳ３０９）、このフローチャートに従った再生処理を終了する。また、再生中に停止キーが操作された場合には、ステップＳ３０７の判断がＹＥＳとなて、同様にこのフローチャートに従った再生処理を終了する。
【００３７】
（第２の実施の形態）
【００３８】
図６は、本発明の第２の実施の形態におけるＲＡＭ３の一部を示すものであり、ＲＡＭ３には図２に示した音声データ記憶部３１及び認識データ記憶部３２に加えて、この図６に示したアドレスメモリ３３が設けられている。このアドレスメモリ３３には、前記認識データ記憶部３２のメモリ３３Ａ〜３３Ｅに対応する記憶部ａ〜ｅが設けられている。
【００３９】
以上の構成に係る本実施の形態において、前記第１の実施の形態と同様に、ユーザは録音を開始する前に認識データの登録操作を行っておき、録音を開始するに際して録音キーを操作する。すると、図７に示した録音処理フローにおいて、ステップＳ４０１の判断がＹＥＳとなり、ステップＳ４０２に進んで録音処理を実行する。すなわち、マイクロホン９から入力されてＡ／Ｄ変換回路１１により変換されたデジタル音声信号を順次シリアルなアドレスに従って音声データ記憶部３１に記録していくともに、逐次音声認識回路１２で、複数音からなる音声つまり言葉（言語）を認識させる。
【００４０】
この音声認識回路１２での認識結果に基づき、前記記憶部３２Ａ〜３２Ｅに記憶されている「言葉Ａ」〜「言葉Ｅ」のいずれかである特定音声が認識されたか否かを判断する（ステップＳ４０３）。特定音声が認識されない場合には、停止キーが操作されたか否かを判断し（ステップＳ４０９）、停止キーが操作されるまでステップＳ４０３からの処理を繰り返す。したがって、その間音声データ記憶部３１にはマイクロホン９により検出された一連音声の音声データがアドレスに従って記録されていく。
【００４１】
そして、ステップＳ４０３で特定音声が認識された場合には、それが「言葉Ａ」であるか否かを判断し（ステップＳ４０４）、「言葉Ａ」であった場合には、アドレスメモリ３３の記憶部ａに、「言葉Ａ」のデータが記録された音声データ記憶部３１のアドレスを記憶する（ステップＳ４０５）。また、「言葉Ｂ」であった場合には（ステップＳ４０６；ＹＥＳ）、アドレスメモリ３３の記憶部ｂに、「言葉Ｂ」のデータが記録された音声データ記憶部３１のアドレスを記憶する（ステップＳ４０７）。さらに、「言葉Ｃ」であった場合、「言葉Ｄ」であった場合も同様の処理を実行し、「言葉Ａ」〜「言葉Ｄ」のいずれでもない場合には、「言葉Ｅ」であるので、アドレスメモリ３３の記憶部ｅに、「言葉Ｅ」のデータが記録された音声データ記憶部３１のアドレスを記憶する（ステップＳ４０７）。
【００４２】
したがって、以上の処理により録音キーが操作された後停止キーが操作されるまで、音声データ記憶部３１には、一連の音声データがアドレスに従って記録され、一方、アドレスメモリ３３の記憶部ａ〜ｅには、対応する「言葉Ａ〜Ｅ」のデータが記録された音声データ記憶部３１のアドレスが記憶されることとなる。そして、ユーザが録音を終了すべく停止キーを操作すると、ステップＳ４０９の判断がＹＥＳとなって、ＣＰＵ１はこの図７のフローチャートに従った処理を停止する。
【００４３】
また、ＣＰＵ１はＲＯＭ２に格納されているプログラムに基づき、図８のフローチャートに示す再生処理を実行する。先ず、記憶部３２Ａ〜３２Ｅに記憶されている認識データである認識言葉を表示部８に一覧表示し（ステップＳ５０１）、このステップＳ５０１での処理により表示部８には認識言葉である「言葉Ａ」〜「言葉Ｅ」が表示されることとなる。次に、押釦スイッチ７での操作に応じて、この表示された認識言葉のいずれか、あるいは全てを意味する「ＡＬＬ」を選択し（ステップＳ５０２）、再生キーが操作されたか否かを判断する（ステップＳ５０３）。
【００４４】
再生キーが操作されたならば、アドレスメモリ３３の記憶部ａ〜ｅから値の小さい順にアドレスを読み出し（ステップＳ５０４）、前記ステップＳ５０２で選択された認識言葉Ａ〜Ｅに対応する記憶部ａ〜ｅにアドレスが記憶されているいるか否かを判断する（ステップＳ５０５）。アドレスが記憶されいる場合には、音声データ記憶部３１において当該アドレスが示す位置に記憶されている音声データからの再生を実行する（ステップＳ５０６）。したがって、ステップＳ５０２で認識言葉「言葉Ａ」又は「ＡＬＬ」が選択されていて、これに対応するアドレスメモリ３３の記憶部ａにアドレスが記憶されていたとすると、このアドレスにより示される「言葉Ａ」が記録されている位置から、音声データ記憶部３１の音声データの再生が開始されて、スピーカ１５から放音されることとなる。
【００４５】
この再生を行っている状態において、ＣＰＵ１は停止キーと再生キーの操作を監視し、両キーのいずれかが操作されたか否かを判断する（ステップＳ０７、Ｓ５０８）。そして、音声再生中に再生キーが操作された場合には（ステップＳ５０８；ＹＥＳ）、ステップＳ５０４に戻り、アドレスメモリ３３において次のアドレスの読み出しを実行する。さらに、次のアドレスが記憶されているか否か判断し（ステップＳ５０５）、記憶されている場合には前述と同様に、当該アドレスが示す位置から音声データ記憶部３１に記憶されている音声データを再生する（ステップＳ５０６）。したがって、前述と同様に、再生中において再生キーはスキップスキャンキーとして機能し、操作される都度、次のアドレスを検索させるキーとなる。
【００４６】
また、このようにしてスキップスキャンしつつアドレスメモリ３３を検索しても次のアドレスが無い場合には、ステップＳ５０５の判断がＮＯとなる。したがって、表示部８に検索の終了を示す終了表示を行って（ステップＳ５０９）、このフローチャートに従った再生処理を終了する。また、再生中に停止キーが操作された場合には、ステップＳ５０７の判断がＹＥＳとなて、同様にこのフローチャートに従った再生処理を終了する。
【００４７】
なお、本実施の形態においては、ＲＡＭ３に音声データ記憶部３１やアドレスメモリ３３を設けるようにしたが、着脱自在なメモリを設けこのメモリに音声データ記憶部３１やアドレスメモリ３３を設けて、音声データやアドレスを記憶させるようにしてもよい。
【図面の簡単な説明】
【００４８】
【図１】本発明の一実施の形態に係る音声記録再生装置の構成を示すブロック回路図である。
【図２】ＲＡＭに設けられた音声データ記憶部とそのデータ記憶状態、及び認識データ記憶部を示す概念図である。
【図３】登録処理の処理手順を示すフローチャートである。
【図４】第１の実施の形態における録音処理の処理手順を示すフローチャートである。
【図５】第１の実施の形態における再生処理の処理手順を示すフローチャートである。
【図６】第２の実施の形態においてＲＡＭに設けられたアドレスメモリを示す概念図である。
【図７】第２の実施の形態における録音処理の処理手順を示すフローチャートである。
【図８】第２の実施の形態における再生処理の処理手順を示すフローチャートである。
【符号の説明】
【００４９】
１    ＣＰＵ
２    ＲＯＭ
３    ＲＡＭ
７    押釦スイッチ部
８    表示部
９    マイクロホン
１０    増幅回路
１１    Ａ／Ｄ変換回路
１２    音声認識回路
１３    Ｄ／Ａ変換回路
１４    増幅回路
１５    スピーカ
３１    音声データ記憶部
３２    認識データ記憶部
３３    アドレスメモリ
【図１】
2005352022.tif 000003
【図２】
2005352022.tif 000004
【図３】
2005352022.tif 000005
【図４】
2005352022.tif 000006
【図５】
2005352022.tif 000007
【図６】
2005352022.tif 000008
【図７】
2005352022.tif 000009
【図８】
2005352022.tif 000010